(57)【要約】      （修正有）【課題】遠隔独居高齢者の対話機会向上を図る．【解決手段】家族側端末装置構成として，ビデオメール撮影装置，ビデオカメラ，ビデオメール記録装置，ビデオメールリスト作成装置，表示装置，ビデオメール送信装置，ビデオメール認証装置，ビデオメール受信検知装置，ビデオメール受信装置，受信ビデオメール記録装置，ならびに，高齢者側端末装置構成として，ビデオメール認証装置，ビデオメール受信検知装置，ビデオメール受信装置，ビデオメール再生検知装置，表示装置，ビデオメール撮影装置，ビデオカメラ，ビデオメール送信装置，を備え，高機能携帯電話の煩雑な操作から高齢者を解放し，ビデオメールという非同期型対話を実現する．さらに上記に加え，ビデオカメラと表示装置以外の高齢者側端末装置の機械部分を，着ぐるみ（擬人的媒体），で覆い隠すことにより，高齢者側端末装置を，高齢者の自然な発話促進機能を持つ擬人的媒体として機能させる．【選択図】図１
2015095664.tif 000002
【特許請求の範囲】
【請求項１】
家族側端末装置構成として，ビデオメール撮影装置，ビデオカメラ，ビデオメール記録装置，ビデオメールリスト作成装置，表示装置，ビデオメール送信装置，ビデオメール認証装置，ビデオメール受信検知装置，ビデオメール受信装置，受信ビデオメール記録装置，ならびに，高齢者側端末装置構成として，ビデオメール認証装置，ビデオメール受信検知装置，ビデオメール受信装置，ビデオメール再生検知装置，表示装置，ビデオメール撮影装置，ビデオカメラ，ビデオメール送信装置，とを備え，遠隔に住まう独居高齢者の対話機会向上の目的のために，高齢者に高機能携帯電話の煩雑な操作から一切解放し，ビデオメール情報という情報量の多い情報の非同期型対話を実現することができる，ことを特徴とする遠隔対話支援装置．
【請求項２】
「請求項１」の装置構成に加え，ビデオカメラと表示装置以外の高齢者側端末装置の機械部分を，着ぐるみ（擬人的媒体），で覆い隠すことにより，高齢者側端末装置を，高齢者の自然な発話を促進機能を持つ擬人的媒体として機能させる，ことを特徴とする遠隔対話支援装置．
【発明の詳細な説明】
【技術分野】
【０００１】
本発明は，遠隔独居高齢者に家族が話し掛けるビデオ映像メールを家族側端末装置から送信し，そのビデオ映像を見た高齢者の反応が，高齢者側端末装置からビデオ映像メールとして自動返信される仕組み，に関するものである．
【背景技術】
【０００２】
近年，スマートフォンと呼ばれる高機能携帯電話が普及し，Skype
【非特許文献１】のようなTV電話機能が無償で利用できるようになった．また，携帯電話を使った電子メールの利用も一般に広く普及している．
【０００３】
しかし，現在普及している携帯端末操作の手順は，高齢者にとってきわめて難しく，年齢層が上がるにしたがって電話機能のみが使用される割合が増加する傾向にある
【非特許文献２】．
【０００４】
携帯電話の通話機能や，高機能携帯電話のSkypeなどのTV電話機能は，基本的に発信側と着信側が時間を共有する同期型対話を支援する仕組みである．比較的操作は単純で，音声やビデオ映像のような情報量の多い通信対話が実現できる．
【０００５】
一方，携帯電話の電子メールは，時間を共有する必要のない非同期型対話を実現することができるが，通信伝達される情報は文字情報や音声メッセージのように情報量は限られ，かつ，端末操作手順は極めて難しく，特に高齢者にとっては大きな障壁になっている
【非特許文献２】．
【先行技術文献】
【非特許文献】
【０００６】
【非特許文献１】Micro Soft Skype, http://www.skype.com/ja/
【非特許文献２】シニア世代における携帯電話の利用度調査 ，モバイルマーケティングが通用しない？インターネットを使わないシニア層」，株式会社ジー・エフ，2009年
【発明の概要】
【発明が解決しようとする課題】
【０００７】
現在，総人口の24.1%，約4人に1人が高齢者の超高齢化社会が進んでおり，総務省統計局「国勢調査」（2000年），国立社会保障・人口問題研究所「日本の世帯数の将来推計（3003年）によれば，独居高齢者が急増している．
【０００８】
また，内閣府「高齢者の生活実態に関する調査」（2009年12月発表）によると，1週間で他人と対話する機会が２〜3回以下の独居世帯は，男性で41.2％，女性で32.4％である．実数に直すと，現状で200万世帯を超える独居高齢者が，対話機会がほとんどない状況下におかれている．
【０００９】
文献：大武美保子，「認知症予防のための会話支援ロボットの活用」，ロボコンマガジン，2011年11号，p.11，によれば，対話は認知症予防に効果があることが知られている．しかし，対話機会の減少によって，認知症の進行を早めてしまう可能性が高い．そのため，独居高齢者のための対話機会増大のための仕組み創りが急務である．
【課題を解決するための手段】
【００１０】
本発明は，高機能携帯電話のビデオ撮影録画機能や通信機能を利用し，高機能携帯電話であるところの高齢者側端末装置と家族側端末装置を用意し，家族端末装置からビデオメッセージと呼ばれるビデオ映像を撮影して，高齢者側端末装置にビデオメール送付すると，そのビデオ映像が再生され，高齢者側端末装置では，ビデオ映像再生開始後一定時間の後に自動的に録画を開始し，ビデオメッセージに対する高齢者の応答を自動的に一定時間録画し，さらに，それを家族側端末装置にビデオメールとして自動送信することを最も主要な特徴とする．
【００１１】
また，本発明では，高齢者側端末装置の表示装置ならびにビデオ撮影装置以外の部分を着ぐるみで覆い，高齢者側端末装置を，擬人的媒体（発明の効果参照）として機能させる，ことも特徴とする．
【発明の効果】
【００１２】
本発明は，高機能携帯電話である家族側端末装置からビデオメッセージと呼ばれるビデオ映像メールを，同じく高機能携帯電話である高齢者側端末装置へ送付すると，高齢者側端末装置はビデオメッセージに対する高齢者の反応を自動的に録画し，家族側端末装置に自動的に送付するので，高齢者は，高齢者側端末装置を操作する必要なく，メッセージに応ずるだけでその状況が，ビデオ映像メールとしてとして家族に伝えられる，という利点がある．
【００１３】
擬人的媒体の説明：ぬいぐるみやヒューマノイドロボットのような，本当の心はもっていなくても，心を持っているかのような存在を擬人的媒体と呼ぶ．文献：桑原 教彰, 米澤 朋子, 田村 俊世, 内海 章, 安部 伸治,「記憶障害や認知症を有する方を意欲創出,注意誘導で支援する行動支援メディアの研究」, 2011年度 研究実績報告書，によれば，このような擬人的媒体は非言語コミュニケーションを感知する右脳を活性化し，その結果として言語野のある左脳を活性化することで，高齢者の対話意欲を喚起できることがわかっている．そのため，認知症などが原因で対話意欲が減退した高齢者の対話を円滑にさせることができる．
【図面の簡単な説明】
【００１４】
【図１】図１は遠隔対話支援装置の装置構成を図式化したものである．（実施例１）
【図２】図２は遠隔対話支援装置の装置構成を図式化したものである．（実施例２）
【発明を実施するための形態】
【００１５】
独居高齢者のための対話機会増大のための仕組みの構築という目的を，高齢者にとって難しい高機能携帯電話装置の操作手順を一切排除し，ビデオメッセージと呼ばれるビデオ映像メールの送受信を，家族側端末装置と高齢者側端末装置の2台の高機能携帯電話装置を利用し，下記の機能を持ったスマートフォンアプリとして実現する．
【実施例１】
【００１６】
図１は，本発明装置の１実施例の図であって，家族側端末装置は，(1)ビデオメール撮影装置，(2)ビデオカメラ，(3)ビデオメール記録部，(4)ビデオメールリスト作成部，(5)表示装置，(6)ビデオメール送信部，(7)ビデオメール認証部，(8)ビデオメール受信検知部，(9)ビデオメール受信部，(10)受信ビデオメール記録部，によって構成する．高齢者側端末装置は，(12)ビデオメール認証部，(13)ビデオメール受信検知部，(14)ビデオメール受信部，(15)ビデオメール再生検知部，(16)表示装置，(17)ビデオメール撮影装置，(18)ビデオカメラ，(19)ビデオメール送信部，(20)着ぐるみ（擬人的媒体），によって構成する．
【００１７】
家族の1人である操作者が，家族側端末装置を使ってビデオメールを撮影する際，(1)ビデオメール撮影装置が起動され，(2)ビデオカメラからビデオ映像情報を取得し，(3)ビデオメール記録部に録画される．
【００１８】
(3)ビデオメール記録部で録画されたビデオメール情報は，(4)ビデオメールリストでリスト化され，(5)表示装置にリスト表示される．
【００１９】
家族の1人である操作者が，今録画したビデオメール，あるいはかつて録画したビデオメールを，リストの中から選択して送信操作を行うと，(6)ビデオメール送信部は，リストの中から選択されたビデオメール情報を(3)ビデオメール記録部から検索して，認証情報とともに(11)インターネットを介して高齢者側端末装置に送付する．
【００２０】
高齢者側端末では，家族側端末から送付された認証情報を(12)ビデオメール認証部で参照し，自分の家族のビデオメール情報であることを認証すると，ビデオメール情報を(13)ビデオメール受信検知部で検知する．
【００２１】
(13)ビデオメール検知部が，ビデオメール情報の着信を検知すると，検知したことを知らせる信号を(17)ビデオメール撮影装置に伝達するとともに，(15)ビデオメール再生検知部を経て(16)表示装置にビデオメール情報を提示する．
【００２２】
(17)ビデオメール撮影装置は，ビデオメール情報着信検知信号を受け取ると，予め設定した時間の後に，(18)ビデオカメラで検知された高齢者の応答ビデオメールの撮影を開始し，予め設定した録画時間の応答ビデオメール情報を(19)ビデオメール送信部に伝送する．
【００２３】
(19)ビデオメール送信部は，(11)インターネットを介して，認証情報と供に応答ビデオメール情報を家族側端末装置に送付する．
【００２４】
家族側端末装置が，応答ビデオメール情報と認証情報を受信すると，(7)ビデオメール認証部が認証情報を照合し，高齢者（例えば両親のどちらか）であることを認証する．
【００２５】
(7)ビデオメール認証部で認証されると，(8)ビデオメール受信検知部は，応答ビデオメール情報を(5)表示装置に提示するとともに，(10)受信ビデオメール記録部で録画する．
【００２６】
尚，高齢者側端末装置は(20)着ぐるみ（擬人的媒体）によって(16)表示装置ならびに(18)ビデオカメラ以外の機械部分を覆い隠すことによって，「擬人的媒体の説明」で述べた擬人的媒体として機能させる．
【実施例２】
【００２７】
図２は，本発明装置の第２の実施例の図である．
【００２８】
実施例２では，家族側端末装置の装置構成のうち，(3)ビデオメール記録部，(4)ビデオメールリスト作成部，(6)ビデオメール送信部，(7)ビデオメール認証部，高齢者側端末装置の装置構成のうち，(12)ビデオメール認証部，をそれぞれの端末装置から切り離し，(11)インターネット上に設置するサーバー装置上に構築した装置構成である．
【００２９】
実施例２を構成する装置間の仕組みは，実施例１と同じである．
【００３０】
実施例２では，情報量の多いビデオメール情報を，家族側端末装置上で記録する必要がないため，端末装置の蓄積容量不足に対して安定に動作する．
【産業上の利用可能性】
【００３１】
遠隔に住まう高齢者を気遣う家族は多い．しかしながら，現状の高齢者が容易に扱い得る端末装置機能は，上記「背景技術」の説明で述べたように，同期型対話の通話機能のみというのが現状である．本発明によって，ビデオメール情報という情報量の多い情報の非同期型対話を実現することができる．よって，インターネット上で家族側端末装置の装置構成ならびに高齢者側端末装置の装置構成を実現したスマートフォンアプリを安価に配布することができ，機能拡張もネットワーク上で行えるため，安価で且つ情報量豊富な非同期型対話を実現するためのサービスを構成できる．
【００３２】
さらに，上記「擬人的媒体の説明」で述べた擬人的媒体の機能は，着ぐるみの販売で実現することができるため，安価で且つ手軽に本サービスを提供可能である．
【符号の説明】
【００３３】
(1)ビデオメール撮影装置，
(2)ビデオカメラ，
(3)ビデオメール記録部，
(4)ビデオメールリスト作成部，
(5)表示装置，
(6)ビデオメール送信部，
(7)ビデオメール認証部，
(8)ビデオメール受信検知部，
(9)ビデオメール受信部，
(10)受信ビデオメール記録部，
(11)インターネット，
(12)ビデオメール認証部，
(13)ビデオメール受信検知部，
(14)ビデオメール受信部，
(15)ビデオメール再生検知部，
(16)表示装置，
(17)ビデオメール撮影装置，
(18)ビデオカメラ，
(19)ビデオメール送信部，
(20)着ぐるみ（擬人的媒体）
【図１】
2015095664.tif 000003
【図２】
2015095664.tif 000004